(57)【要約】【課題】  無用な隙間などが発生することなく十分な保護を図り、かつ装着労力及び作業コストの削減を図るとともに、汎用性，多様性及び発展性を高める。【解決手段】  自然界の環境中に所定期間晒されることにより少なくとも自然界に無害な物質に分解される生分解性プラスチックＲにより全体を一体成形するとともに、網目を構成する１目Ｍのサイズを１０〜３０〔ｍｍ〕の範囲に選定し、かつ網線Ｎｐを所定の弾性を有する太さＬｄに選定したネット部材Ｎ又はこのネット部材Ｎをカッティングして得られる鳥獣害防止カバー１ｐで保護対象物Ｐの表面Ｐｆを覆うことにより当該保護対象物Ｐを鳥獣から保護する。【選択図】  図１
2020120633.tif 000002
【特許請求の範囲】
【請求項１】
自然界の保護対象物を覆うことにより当該保護対象物を鳥獣から保護する鳥獣害防止シートにおいて、自然界の環境中に所定期間晒されることにより少なくとも自然界に無害な物質に分解される生分解性プラスチックにより全体を一体成形するとともに、網目を構成する１目のサイズを１０〜３０〔ｍｍ〕の範囲に選定し、かつ網線を所定の弾性を有する太さに選定したネット部材により構成してなることを特徴とする鳥獣害防止シート。
【請求項２】
前記ネット部材は、短辺の長さを５０〔ｃｍ〕以上に選定し、かつロール状に巻回ししてなることを特徴とする請求項１記載の鳥獣害防止シート。
【請求項３】
前記ネット部材は、一部をカッティングして止め具として用いることを特徴とする請求項１又は２記載の鳥獣害防止シート。
【請求項４】
自然界の保護対象物を覆うことにより当該保護対象物を鳥獣から保護する鳥獣害防止方法において、自然界の環境中に所定期間晒されることにより少なくとも自然界に無害な物質に分解される生分解性プラスチックにより全体を一体成形するとともに、網目を構成する１目のサイズを１０〜３０〔ｍｍ〕の範囲に選定し、かつ網線を所定の弾性を有する太さに選定したネット部材又はこのネット部材をカッティングして得られる鳥獣害防止カバーで前記保護対象物の表面を覆うことにより当該保護対象物を鳥獣から保護することを特徴とする鳥獣害防止方法。
【請求項５】
前記鳥獣害防止カバーを、前記保護対象物となる樹木に巻くことにより当該樹木の表面を保護することを特徴とする請求項４記載の鳥獣害防止方法。
【請求項６】
前記鳥獣害防止カバーを、前記保護対象物となる地面に敷くことにより当該地面の表面を保護することを特徴とする請求項４記載の鳥獣害防止方法。
【発明の詳細な説明】
【技術分野】
【０００１】
本発明は、自然界の保護対象物を覆うことにより当該保護対象物を鳥獣から保護する鳥獣害防止シート及び鳥獣害防止方法に関する。
【背景技術】
【０００２】
一般に、森林樹木の野生鳥獣による被害（剥皮被害）は、主に、鹿，熊，うさぎ等によってもたらされる場合が顕著である。このため、従来より、防護柵，忌避剤，爆音等による各種対策が講じられているが、その効果は限定的であったり、或いは実施に伴って相当のコストと労力（作業）が強いられるとともに、残存物の発生による自然環境への悪影響が指摘され、従来より、少ないコストと労力により実施することができ、しかも、自然環境への悪影響を回避しつつ鳥獣害に対する十分な防止効果を得ることができる有効な対策が要請されていた。
【０００３】
そこで、本出願人は、この要請に応えるための成長物用カバーを、既に、特許文献１により提案した。この成長物用カバーは、樹木等の成長物の成長による破断を確実に回避するとともに、部品点数の削減によるコストダウン及び装着作業の容易化を図り、また、鳥獣被害防止効果をより高めることを目的としたものであり、具体的には、成長物に巻付ける第一バンド部を備え、この第一バンド部の長手方向一端側に挿通孔を設け、かつ第一バンド部の長手方向他端側に、挿通孔に挿通する所定長さの第二バンド部を設けるとともに、この第二バンド部の幅方向両側の辺部にそれぞれ複数の弾性突出部を長手方向に沿って所定間隔おきに設け、かつ第二バンド部の幅方向における一方側の弾性突出部の先端から他方側の弾性突出部の先端までの長さを、挿通孔の幅方向長さよりも長くなるように選定したものである。
【先行技術文献】
【特許文献】
【０００４】
【特許文献１】特開２００４−２９８００４号公報
【発明の概要】
【発明が解決しようとする課題】
【０００５】
しかし、上述した従来における成長物用カバーは、次のような解決すべき課題も存在した。
【０００６】
第一に、保護対象物となる樹木を保護するに際しては、対象となる樹木に巻き付けて装着するバンド部材として形成されるため、樹木に対して保護できる範囲はバンド部材の幅により決定される部分的な範囲となる。したがって、鳥獣の種類、即ち、鹿，熊等の種類に対応して、樹木に装着する高さ位置を変更することはできるものの、保護する範囲を上下方向に広げたい場合、複数の成長物用カバーを用意し、積層形式により順次装着して行く必要がある。この結果、樹木の大きさや種類によっては、装着労力及び作業コストの増加を招くとともに、無用な隙間が発生するなど、必ずしも十分な保護を図れるとはいえない難点があった。
【０００７】
第二に、鳥獣による被害は、樹木に限定されるものではない。例えば、整地した法面，平地の下草や花等の植生も被害を受けてしまう。しかし、従来の成長物用カバーでは、このような樹木以外の保護対象物に対しては、事実上、保護が困難になるとともに、保護するにしても、極めて限定的な範囲にならざるを得ない。結局、従来の成長物用カバーは、広く自然界の保護対象物を保護する観点からは、汎用性に難があるとともに、多様性及び発展性に難があるなど、更なる改善すべき点も残されていた。
【０００８】
本発明は、このような背景技術に存在する課題を解決した鳥獣害防止シート及び鳥獣害防止方法の提供を目的とするものである。
【課題を解決するための手段】
【０００９】
本発明に係る鳥獣害防止シート１は、上述した課題を解決するため、自然界の保護対象物Ｐを覆うことにより当該保護対象物Ｐを鳥獣から保護する鳥獣害防止シートを構成するに際して、自然界の環境中に所定期間晒されることにより少なくとも自然界に無害な物質に分解される生分解性プラスチックＲにより全体を一体成形するとともに、網目を構成する１目ＭのサイズＬｍを１０〜３０〔ｍｍ〕の範囲に選定し、かつ網線Ｎｐを所定の弾性を有する太さＬｄに選定したネット部材Ｎにより構成してなることを特徴とする。
【００１０】
一方、本発明に係る鳥獣害防止方法は、上述した課題を解決するため、自然界の保護対象物Ｐを覆うことにより当該保護対象物Ｐを鳥獣から保護するに際し、自然界の環境中に所定期間晒されることにより少なくとも自然界に無害な物質に分解される生分解性プラスチックＲにより全体を一体成形するとともに、網目を構成する１目Ｍのサイズを１０〜３０〔ｍｍ〕の範囲に選定し、かつ網線Ｎｐを所定の弾性を有する太さＬｄに選定したネット部材Ｎ又はこのネット部材Ｎをカッティングして得られる鳥獣害防止カバー１ｐで保護対象物Ｐの表面Ｐｆを覆うことにより当該保護対象物Ｐを鳥獣から保護するようにしたことを特徴とする。
【００１１】
また、本発明は、発明の好適な実施態様により、ネット部材Ｎは、短辺の長さＬｓを５０〔ｃｍ〕以上に選定し、かつロールＥ状に巻回して構成できるとともに、一部をカッティングして止め具Ｃとして用いることができる。一方、鳥獣害を防止するに際しては、鳥獣害防止カバー１ｐを、保護対象物Ｐとなる樹木Ｐｔに巻くことにより当該樹木Ｐｔの表面Ｐｆを保護することができるとともに、鳥獣害防止カバー１ｐを、保護対象物Ｐとなる地面Ｐｇに敷くことにより当該地面Ｐｇの表面Ｐｆを保護することができる。
【発明の効果】
【００１２】
このような本発明に係る鳥獣害防止シート１及び鳥獣害防止方法によれば、次のような顕著な効果を奏する。
【００１３】
（１）  網目を構成する１目ＭのサイズＬｍを１０〜３０〔ｍｍ〕の範囲に選定し、かつ網線Ｎｐを所定の弾性を有する太さＬｄに選定したネット部材Ｎにより構成してなるため、保護対象物Ｐに対応した大きさ（形状）にカッティングして使用できる。したがって、樹木Ｐｔに巻き付けるバンド部材として使用する場合であっても、樹木Ｐｔにマッチングした最適な形態となるバンド部材を装着できるため、無用な隙間などが発生することなく十分な保護を図ることができるとともに、一回の装着作業により装着できるため、装着労力及び作業コストの削減を図ることができる。
【００１４】
（２）  生分解性プラスチックＲにより全体を一体成形するとともに、ネット部材Ｎにより構成するため、樹木Ｐｔ以外の保護対象物Ｐ、具体的には、整地した法面，平地の下草や花等の植生が存在する地面Ｐｇであっても上から覆うことにより、容易に保護することができる。この結果、広く自然界の保護対象物Ｐを保護することが可能になり、汎用性に優れるとともに、多様性及び発展性にも優れる。
【００１５】
（３）  好適な態様により、ネット部材Ｎの形態として、短辺の長さＬｓを５０〔ｃｍ〕以上に選定し、かつロールＥ状に巻回して構成すれば、基本的に、鹿等の自然界の獣による被害が想定される最大高さをほぼ確保可能になるため、このロールＥを設置するエリアに運び込むことにより、様々な種類の獣に対応できる大きさ及び形状を有する鳥獣害防止カバー１ｐ…をその場で得れるなど、利便性及び製作容易性に優れる。
【００１６】
（４）  好適な態様により、ネット部材Ｎの一部をカッティングすることにより止め具Ｃとして用いれば、別途の独立した止め具（固定具）を用意する必要がないため、現場で必要な形状や数量の止め具Ｃ…を容易に用意できるとともに、別途持参する必要がなくなる。
【００１７】
（５）  好適な態様により、鳥獣害を防止するに際し、鳥獣害防止カバー１ｐを、保護対象物Ｐとなる樹木Ｐｔに巻くことにより当該樹木Ｐｔの表面Ｐｆを保護するようにすれば、ロールＥから必要な長さ分だけカッティングすることにより目的の鳥獣害防止カバー１ｐが得られるため、無駄を最小限にして使用できるなど、経済性及び資源節減性に優れる。
【００１８】
（６）  好適な態様により、鳥獣害を防止するに際し、必要な鳥獣害防止カバー１ｐを、保護対象物Ｐとなる地面Ｐｇに敷くことにより当該地面Ｐｇの表面Ｐｆを保護するようにすれば、ロールＥをそのまま広げて地面Ｐｇに敷いて施工できるため、容易かつ効率的に設置することができる。
【図面の簡単な説明】
【００１９】
【図１】本発明の好適実施形態に係る鳥獣害防止シートの全体構成図、
【図２】同鳥獣害防止シートの一部抽出拡大図、
【図３】同鳥獣害防止シートのＡ−Ａ線断面図、
【図４】同鳥獣害防止シートから得られる止め具の一例を示す形態図、
【図５】同止め具の使用時の状態を示す形態図、
【図６】同止め具の他の変更例を示す形態図、
【図７】同鳥獣害防止シートから得られる鳥獣害防止カバーの第一の態様に係る使用説明図、
【図８】同鳥獣害防止シートから得られる鳥獣害防止カバーの第二の態様に係る使用説明図、
【図９】同鳥獣害防止シートから得られる鳥獣害防止カバーの第三の態様に係る使用説明図、
【図１０】同鳥獣害防止シートから得られる鳥獣害防止カバーの第四の態様に係る使用説明図、
【図１１】同鳥獣害防止シートから得られる鳥獣害防止カバーの第五の態様に係る使用説明図、
【図１２】同鳥獣害防止シートから得られる鳥獣害防止カバーの第六の態様に係る使用説明図、
【発明を実施するための形態】
【００２０】
次に、本発明に係る好適実施形態を挙げ、図面に基づき詳細に説明する。
【００２１】
まず、本実施形態に係る鳥獣害防止シート１の構成について、図１〜図３を参照して説明する。
【００２２】
図１に鳥獣害防止シート１の全体構成を示す。この鳥獣害防止シート１は、図２に示すように、網目を構成する１目ＭのサイズＬｍを１０〜３０〔ｍｍ〕（例示は２１〔ｍｍ〕×２１〔ｍｍ〕）の範囲に選定する。これにより、１目Ｍの形状はほぼ正方形となる。また、網目を形成する網線Ｎｐは、後述する形成素材の選定及び太さＬｄ（例示は２〔ｍｍ〕）を選定することにより、所定の剛性を確保しつつ所定の弾性を有するように形成するとともに、全体としてネット部材Ｎとなるように形成する。
【００２３】
この鳥獣害防止シート１は、予め、特定の形状に形成するものではなく、保護対象物Ｐに対応した大きさ（形状）に対応するようにカッティングして使用できるようにした。このため、全体として、図１に示すように、幅（短辺）の長さＬｓを５０〔ｃｍ〕以上、より望ましくは、６０〜１７０〔ｃｍ〕（例示は１００〔ｃｍ〕）に選定し、長手方向の全長Ｌｃを３０〔ｍ〕に選定した長いウェブ状（矩形状）に形成し、ロールＥとなるように、一端側から巻回することにより保管性や携帯性を高めた。
【００２４】
このように、鳥獣害防止シート１を構成する際に、ネット部材Ｎの形態として、短辺の長さＬｓを５０〔ｃｍ〕以上に選定し、かつロールＥ状に巻回して構成すれば、基本的に、鹿等の自然界の獣による被害が想定される最大高さをほぼ確保可能になるため、このロールＥを設置するエリアに運び込むことにより、様々な種類の獣に対応できる大きさ及び形状を有する鳥獣害防止カバー１ｐ…をその場で得れるなど、利便性及び製作容易性に優れる。
【００２５】
また、本実施形態に係る鳥獣害防止シート１は、保護対象物Ｐに対応した大きさ（形状）にカッティングすることにより鳥獣害防止カバー１ｐ…を得ることに加え、ネット部材Ｎの一部を、例えば、図４に示すような形状にカッティングすれば、鳥獣害防止カバー１ｐ…の任意の位置に係止させることができる止め具Ｃを得ることができる。図４に示す止め具Ｃは、二つの目Ｍ，Ｍを含む連結部Ｃｍと、この連結部Ｃｍの一端に残した一対の網線Ｎｐａ，Ｎｐａによる一端側の係止部Ｃｓａと、連結部Ｃｍの他端に残した一対の網線Ｎｐｂ，Ｎｐｂによる他端側の係止部Ｃｓｂとを有しており、代表的な止め具Ｃとして使用することができる。
【００２６】
この止め具Ｃを使用する際には、図５に示すように、一端側に設けた一対の網線Ｎｐａ，Ｎｐａを、鳥獣害防止カバー１ｐにおける任意の一目Ｍａに通すことにより、各網線Ｎｐａ，Ｎｐａを当該一目Ｍａに係止させることができるとともに、他端側に設けた一対の網線Ｎｐｂ，Ｎｐｂを他の任意の一目Ｍｂに通すことにより、各網線Ｎｐｂ，Ｎｐｂを当該一目Ｍｂに係止させることができる。このように、ネット部材Ｎの一部をカッティングすることにより止め具Ｃとして用いれば、別途の独立した止め具（固定具）を用意する必要がないため、現場で必要な形状や数量の止め具Ｃ…を容易に用意できるとともに、別途持参する必要がなくなる利点がある。
【００２７】
このため、前述のように、所定の剛性を確保しつつ所定の弾性を有するように、網線Ｎｐの太さＬｄを選定する際には、このような止め具Ｃとして使用し、この止め具Ｃにおける一対の網線Ｎｐａ，Ｎｐａ…が任意の一目Ｍａ…に係止した際に、容易に離脱しない太さに選定することが好適である。
【００２８】
なお、図６（ａ）〜（ｃ）には、止め具Ｃの変更例を示す。図６（ａ）の止め具Ｃは、五つの目Ｍ…を含めた比較的長い連結部Ｃｍを有する変更例を示す。図６（ｂ）の止め具Ｃは、三つの目Ｍ…を含む二つの連結部Ｃｍ，Ｃｍを有するとともに、この連結部Ｃｍ…の中間部同士を、四つの目Ｍ…を含むリンク部Ｃｒにより連結した構成を有し、より連結時の強度及び連結の確実性を高めることができる変更例を示す。図６（ｃ）の止め具Ｃは、二つの網線Ｎｐｍ，Ｎｐｍを含む連結部Ｃｍを有するとともに、この連結部Ｃｍの両側に一対の網線Ｎｐａ，Ｎｐａと一対の網線Ｎｐｂ，Ｎｐｂをそれぞれ有し、最も簡易な形態とした変更例を示す。また、これらの止め具Ｃ…は、鳥獣害防止カバー１ｐに対して別体となる独立した部品として得ることができるが、止め具Ｃ…の一端側を鳥獣害防止カバー１ｐに連続させることにより、鳥獣害防止カバー１ｐに対して一体化させた形態により実施することも可能である。その他、図６（ａ）〜（ｃ）において、図５と同一部分には同一符号を付してその構成を明確にするとともに、その詳細な説明を省略する。
【００２９】
さらに、このネット部材Ｎは、生分解性プラスチックＲにより一体成形することが望ましい。生分解性プラスチックＲは、自然界の環境中に所定期間晒されることにより少なくとも自然界に無害な物質に分解される性質を有する素材であり、生分解性プラスチックＲは、通常のプラスチック（合成樹脂）と同等の物性を有するとともに、土壌等の自然環境中では、微生物により水と二酸化炭素に分解される性質を備えている。
【００３０】
このような生分解性プラスチックＲは、特定の生分解性プラスチックに限定されるものではなく、各種の生分解性プラスチックを利用可能である。即ち、微生物が酵素の働きでプラスチック体内に蓄積するポリエステルなどを利用した高分子から製造する微生物系の生分解性プラスチック、植物や動物がつくる天然の高分子から製造する天然物系の生分解性プラスチック、化学合成によってつくられる高分子から製造する化学合成系の生分解性プラスチックなど、各種の生分解性プラスチックを利用することができる。
【００３１】
また、生分解性プラスチックＲとしては、添加物を配合しない、いわば無添加の生分解性プラスチックであってもよいし、目的に応じた添加物を配合することにより耐候年数を高めたり調整するなどした生分解性プラスチックＲであってもよい。耐候年数を高める添加物の一例としては、紫外線吸収剤を挙げることができる。この紫外線吸収剤は生分解性プラスチックに適量配合することにより耐候性を高めることができる。
【００３２】
なお、鳥獣害防止シート１を構成するネット部材Ｎは、所定の色に着色することが好適である。着色する色としては、鳥獣にとっての忌避色を選定することが望ましい。したがって、選定する色としては、例えば、鳥獣は人為的に付加された造作物には近寄らないという習性を考慮した色を含ませるとともに、この色の中から自然感を損なわない色を選定することが望ましい。例示する鳥獣害防止シート１の色にはナチュラル系統のホワイト色を用いた。
【００３３】
次に、本実施形態に係る鳥獣害防止シート１の使用方法（鳥獣害防止方法）について、図１〜図１２を参照して説明する。
【００３４】
まず、保護対象物Ｐが存在する場所に、図１に示すロールＥによる鳥獣害防止シート１を運び込む。今、保護対象物Ｐが樹木Ｐｔである場合を想定する。図７〜図１０は、様々な樹木Ｐｔに対する保護態様の例を示す。
【００３５】
前述したように、本実施形態に係る鳥獣害防止シート１は、ハサミ等により任意の位置をカッティングすることにより、目的の形状又は大きさを有する鳥獣害防止カバー１ｐを得ることができる。また、鳥獣害防止シート１の一部となるネット部材Ｎをカッティングすることにより前述した止め具Ｃ…を得ることができる。なお、目的の形状又は大きさを有する鳥獣害防止カバー１ｐ…及び止め具Ｃ…は、ロールＥによる鳥獣害防止シート１を運び込んだ現地で製作してもよいし、予め製作したものを持ち込んでもよい。
【００３６】
図７は、図１に示すロールＥの先端から１３０〔ｃｍ〕の長さでカッティングして得た鳥獣害防止カバー１ｐを樹木Ｐｔの表面Ｐｆに巻付け、鳥獣害防止カバー１ｐの一端と他端間を複数の止め具Ｃ…により連結して固定した例を示す。この場合、鳥獣害防止カバー１ｐの高さＬｈは、１００〔ｃｍ〕となる。
【００３７】
図８は、図７に示した鳥獣害防止カバー１ｐを上下に二分割し、高さを１／２にした鳥獣害防止カバー１ｐを樹木Ｐｔの表面Ｐｆに巻付け、鳥獣害防止カバー１ｐの一端と他端間を複数の止め具Ｃ…により連結して固定した例を示す。したがって、図８の場合、鳥獣害防止カバー１ｐの高さＬｈｓは５０〔ｃｍ〕となる。
【００３８】
図９は、図１に示すロールＥを上下に複数に分割することにより、短辺（幅）の長さＬｋを２０〜３０〔ｃｍ〕にした帯状の鳥獣害防止カバー１ｐを製作し、樹木Ｐｔの表面Ｐｆに対してスパイラル状に巻付け、上端側と下端側を複数の止め具Ｃ…により固定したものである。この場合、鳥獣害防止カバー１ｐにより樹木Ｐｔの表面Ｐｆを覆う全体の高さＬｅを任意の範囲に設定できる。
【００３９】
図１０は、樹木Ｐｔとして、植栽した苗木Ｐｔｓを保護する例であり、図１に示すロールＥの先端から、例えば、５０〔ｃｍ〕の長さでカッティングして得た鳥獣害防止カバー１ｐを丸めることにより筒形にし、一端と他端間を複数の止め具Ｃ…により連結した鳥獣害防止カバー１ｐにより、苗木Ｐｔｓの外側を囲むとともに、この近傍に木又は竹等の支柱２０を立て、この支柱２０と鳥獣害防止カバー１ｐ間の複数位置を、前述した図６（ａ）の止め具Ｃ…により固定したものである。この場合、鳥獣害防止カバー１ｐは、高さＬｕが１５０〔ｃｍ〕のタイプを用いた。
【００４０】
このように、保護対象物Ｐとなる樹木Ｐｔ（Ｐｔｓ）を保護するに際しては、必要な鳥獣害防止カバー１ｐを、樹木Ｐｔに巻くことにより、当該樹木Ｐｔの表面Ｐｆを保護することができる。したがって、このような鳥獣害防止カバー１ｐを使用する場合には、図１に示すロールＥから必要な長さ分だけカッティングすることにより目的の鳥獣害防止カバー１ｐが得られるため、無駄を最小限にして使用できるなど、経済性及び資源節減性に優れる利点がある。
【００４１】
次に、保護対象物Ｐが地面Ｐｇの場合を想定する。図１１は下草植生Ｐｇｆが存在する平地の地面Ｐｇの表面Ｐｆを保護する態様、図１２は法面（傾斜面）として造成された地面Ｐｇの表面Ｐｆを保護する態様をそれぞれ示す。図１１の場合は、保護対象となる地面Ｐｇのエリアに鳥獣害防止シート１（鳥獣害防止カバー１ｐ）を敷き、地面Ｐｇに差込むことができる杭やピン等により固定すればよい。これにより、鹿等の獣は、この鳥獣害防止シート１（鳥獣害防止カバー１ｐ）を敷いたエリアを避けて通るため、下草植生Ｐｇｆが存在する地面Ｐｇが荒らされたり食いつぶされるなどの被害を回避又は低減し、地面Ｐｇの表面Ｐｆに対する保護を図ることができる。
【００４２】
図１２の場合は、法面（傾斜面）として造成され、かつ整地された地面Ｐｇを、図１１の場合と同様に、鳥獣害防止シート１（鳥獣害防止カバー１ｐ）を敷いた態様を示す。これにより、鹿等の獣は、この鳥獣害防止シート１（鳥獣害防止カバー１ｐ）を敷いたエリアを避けて通るため、法面が荒らされて崩れるなどの被害を防止することができ、法面の表面Ｐｆに対する保護を図ることができる。
【００４３】
このように、保護対象物Ｐとなる地面Ｐｇを保護するに際しては、必要な鳥獣害防止シート１（鳥獣害防止カバー１ｐ）を地面Ｐｇの上に敷くことにより当該地面Ｐｇの表面Ｐｆを保護できる。即ち、図１に示すロールＥをそのまま広げて地面Ｐｇに敷いて施工できるため、容易かつ効率的に設置できる利点がある。
【００４４】
よって、このような本実施形態に係る鳥獣害防止シート１（鳥獣害防止方法）によれば、基本構成（基本態様）として、自然界の環境中に所定期間晒されることにより少なくとも自然界に無害な物質に分解される生分解性プラスチックＲにより全体を一体成形するとともに、網目を構成する１目ＭのサイズＬｍを１０〜３０〔ｍｍ〕の範囲に選定し、かつ網線Ｎｐを所定の弾性を有する太さＬｄに選定したネット部材Ｎを備え、このネット部材Ｎ又はこのネット部材Ｎをカッティングして得られる鳥獣害防止カバー１ｐにより、保護対象物Ｐの表面Ｐｆを覆うことにより当該保護対象物Ｐを鳥獣から保護するようにしたため、保護対象物Ｐに対応した大きさ（形状）にカッティングして使用できる。したがって、樹木Ｐｔに巻き付けるバンド部材として使用する場合であっても、樹木Ｐｔにマッチングした最適な形態となるバンド部材を装着できるため、無用な隙間などが発生することなく十分な保護を図ることができるとともに、一回の装着作業により装着できるため、装着労力及び作業コストの削減を図ることができる。
【００４５】
また、生分解性プラスチックＲにより全体を一体成形するとともに、ネット部材Ｎにより構成するため、樹木Ｐｔ以外の保護対象物Ｐ、具体的には、整地した法面，平地の下草や花等の植生が存在する地面Ｐｇであっても上から覆うことにより、容易に保護することができる。この結果、広く自然界の保護対象物Ｐを保護することが可能になり、汎用性に優れるとともに、多様性及び発展性にも優れる。
【００４６】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４７】
例えば、ネット部材Ｎは、短辺の長さＬｓを５０〔ｃｍ〕以上に選定し、かつロールＥ状に巻回して構成することが望ましいが、必ずしも５０〔ｃｍ〕以上に限定されるものではないとともに、必ずしもロールＥ状に巻回して構成する必要はない。また、ネット部材Ｎは、一部をカッティングして止め具Ｃとして用いるようにしたが、止め具Ｃとしては別途の素材や形態により構成した専用の止め具Ｃを用いてもよい。さらに、保護対象物Ｐとして、樹木Ｐｔ及び地面Ｐｇを例示したが、自然界における他の保護対象物Ｐに対する保護においても鳥獣害防止シート１を利用可能、更には応用可能である。
【産業上の利用可能性】
【００４８】
本発明に係る鳥獣害防止シート及び鳥獣害防止方法は、自然界における各種の保護対象物を覆うことにより当該保護対象物を鳥獣から保護する際に利用することができる。
【符号の説明】
【００４９】
１：鳥獣害防止シート，１ｐ：鳥獣害防止カバー，Ｐ：保護対象物，Ｐｔ：樹木，Ｐｇ：地面，Ｐｆ：保護対象物の表面，Ｒ：生分解性プラスチック，Ｍ：１目，Ｌｍ：１目のサイズ，Ｎ：ネット部材，Ｎｐ：網線，Ｌｄ：網線の太さ，Ｌｓ：短辺の長さ，Ｅ：ロール，Ｃ：止め具
【図１】
2020120633.tif 000003
【図２】
2020120633.tif 000004
【図３】
2020120633.tif 000005
【図４】
2020120633.tif 000006
【図５】
2020120633.tif 000007
【図６】
2020120633.tif 000008
【図７】
2020120633.tif 000009
【図８】
2020120633.tif 000010
【図９】
2020120633.tif 000011
【図１０】
2020120633.tif 000012
【図１１】
2020120633.tif 000013
【図１２】
2020120633.tif 000014